(57)【要約】【課題】排出トレイを構成する複数のトレイがシートの重みや外力で撓んだとしても外れることがないレール構造を提供する。【解決手段】排出トレイ２１は、左右方向９において異なる位置にそれぞれ配置された第１レール部９１、第２レール部９２、第３レール部９３、及び第４レール部９４を有する第１トレイ８１と、第１レール部９１、第２レール部９２、第３レール部９３、及び第４レール部９４によって、第１トレイ８１の下方において排出向き１７に沿ってスライド可能に支持された第２トレイ８２と、を具備する。第１トレイ８１の第１レール部９１の第１突出部９６及び第４レール部９４の第４突出部１０２が左向きへ突出して第２トレイ８２を支持しており、第２レール部９２の第２突出部９８及び第３レール部９３の第３突出部１００が右向きへ突出して第２トレイ９２を支持している。【選択図】図１２
2015034066.tif 000002
【特許請求の範囲】
【請求項１】
シートを搬送する搬送部と、当該搬送部が搬送したシートを積層状態に支持する排出トレイと、を具備する搬送装置であって、
上記排出トレイは、
上記搬送部がシートを排出する排出向きに沿った搬送方向と直交する幅方向において異なる位置にそれぞれ配置されており、かつ上記搬送方向に沿ってそれぞれ延出された第１レール部、第２レール部、及び第３レール部を有する第１トレイと、
上記第１トレイの下側に配置されており、上記第１レール部、上記第２レール部、及び上記第３レール部によって、第１位置及び上記排出向きの先端の位置が上記第１トレイよりも上記排出向き下流側の第２位置の間をスライド可能に支持された第２トレイと、を具備しており、
上記第１レール部及び上記第３レール部は、上記第２レール部に対する幅方向の位置が相反しており、
上記第１レール部は、上記排出向きに沿って延びる第１リブと、上記幅方向に沿った第１向きへ当該第１リブから突出して上記第２トレイを支持する第１突出部を有しており、
上記第２レール部は、上記排出向きに沿って延びる第２リブと、上記第１向きと逆向きの第２向きへ当該第２リブから突出して上記第２トレイを支持する第２突出部を有する搬送装置。
【請求項２】
上記第１レール部は、上記第２レール部より上記第１トレイの幅方向の端に近い位置に配置されており、
上記第１突出部が上記第１リブから上記第１向きへ突出する長さは、上記第２突出部が上記第２リブから上記第２向きへ突出する長さより長い請求項１に記載の搬送装置。
【請求項３】
上記第２トレイは、上記第１位置において上記第１トレイに覆われており、上記第２位置において上記第１トレイから上記排出向きへ突出した状態となるものであり、
上記第１レール部、上記第２レール部、及び上記第３レール部のうちの少なくともいずれか一つは、上記第２位置において、上記排出向き上流側となる上記第２トレイの基端より、上記排出向き下流側となる上記第２トレイの先端が上方になる姿勢に、上記第２トレイを位置決めする位置決め部を有するものである請求項１又は２に記載の搬送装置。
【請求項４】
上記第２レール部に上記位置決め部が設けられており、
上記位置決め部は、
上記第１トレイの上記第２突出部の先端側において下方へ突出する第１凸部と、
上記第２トレイにおける上記第１凸部と上下方向に対向する面に設けられており、上記第２位置において上記第１凸部と係合して上記第２トレイの上記排出向きへの移動を不能とする第２凸部と、
上記第２トレイにおける上記第１トレイの下面と対向する面であって上記第２凸部より先端側に設けられて上方へ突出する第３凸部と、
上記第１トレイの下面に設けられており、上記第２位置において上記第３凸部と当接して当該第３凸部を下方へ案内する当接部と、を有するものである請求項３に記載の搬送装置。
【請求項５】
上記第１トレイの上記幅方向の最大幅と、上記第２トレイの上記幅方向の最大幅と、が同じである請求項１から４のいずれかに記載の搬送装置。
【請求項６】
上記排出トレイの下方に配置されて、上記搬送部が搬送するシートを支持する給送トレイを更に具備しており、
上記第１トレイ及び上記第２位置の上記第２トレイは、上記給送トレイの上側を上記幅方向において覆うものである請求項１から５のいずれかに記載の搬送装置。
【請求項７】
上記第１トレイは、第１レール部、第２レール部、及び第３レール部とは、上記幅方向において異なる位置にそれぞれ配置されており、かつ上記搬送方向に沿ってそれぞれ延出された第４レール部を更に有するものであり、
上記第３レール部は、上記排出向きに沿って延びる第３リブと、上記第１向きへ当該第３リブから突出して上記第２トレイを支持する第３突出部を有しており、
上記第４レール部は、上記排出向きに沿って延びる第４リブと、上記第２向きへ当該第４リブから突出して上記第２トレイを支持する第４突出部を有しており、
上記幅方向における上記第１レール部の位置と上記第３レール部の位置との中央は、上記幅方向における上記第２レール部の位置と上記第４レール部の位置との中央とほぼ合致する請求項１から６のいずれかに記載の搬送装置。
【発明の詳細な説明】
【技術分野】
【０００１】
本発明は、シートを搬送する搬送部と、当該搬送部が搬送したシートを積層状態に支持する排出トレイと、を具備する搬送装置に関する。
【背景技術】
【０００２】
プリンタなどの画像記録装置は、画像記録される記録用紙などのシートを搬送する搬送装置を備えている。搬送装置は、排出されたシートを積層状態で支持する排出トレイを備えている。
【０００３】
搬送装置を備えた画像記録装置は、小型化の要望がある一方、大きなサイズのシートが搬送できることが望まれる。これらの要望を満たすために、排出トレイが複数枚のトレイにより構成され、シートのサイズが小さいときには、複数枚のトレイが重なった状態となってコンパクトな排出トレイとなり、シートのサイズが大きいときには、複数枚のトレイが順次引き出されて支持面が拡大された排出トレイとなる構成が知られている。
【先行技術文献】
【特許文献】
【０００４】
【特許文献１】特開２０１１−２３５９８６号公報
【発明の概要】
【発明が解決しようとする課題】
【０００５】
前述された先行技術文献において、排出トレイを構成する複数枚のトレイは、例えばレール構造により相互に連結されてスライド可能となっている。レール構造は、例えば、上側のトレイが下側のトレイを抱え込むように係合して支持する一対のレールから構成されるが、このようなレール構造では、複数枚のトレイに重みが付与されると、トレイが撓んで係合が外れるおそれがある。
【０００６】
本発明は、前述された問題に鑑みてなされたものであり、その目的は、排出トレイを構成する複数のトレイがシートの重みや外力で撓んだとしても外れることがないレール構造を提供することにある。
【課題を解決するための手段】
【０００７】
(1)  本発明は、シートを搬送する搬送部と、当該搬送部が搬送したシートを積層状態に支持する排出トレイと、を具備する搬送装置に関する。上記排出トレイは、上記搬送部がシートを排出する排出向きに沿った搬送方向と直交する幅方向において異なる位置にそれぞれ配置されており、かつ上記搬送方向に沿ってそれぞれ延出された第１レール部、第２レール部、及び第３レール部を有する第１トレイと、上記第１トレイの下側に配置されており、上記第１レール部、上記第２レール部、及び上記第３レール部によって、第１位置及び上記排出向きの先端の位置が上記第１トレイよりも上記排出向き下流側の第２位置の間をスライド可能に支持された第２トレイと、を具備する。上記第１レール部及び上記第３レール部は、上記第２レール部に対する幅方向の位置が相反しており、上記第１レール部は、上記排出向きに沿って延びる第１リブと、上記幅方向に沿った第１向きへ当該第１リブから突出して上記第２トレイを支持する第１突出部を有しており、上記第２レール部は、上記排出向きに沿って延びる第２リブと、上記第１向きと逆向きの第２向きへ当該第２リブから突出して上記第２トレイを支持する第２突出部を有する。
【０００８】
第１レール部の第１突出部が第１向きへ突出して第２トレイを支持しており、第２レール部の第２突出部が第２向きへ突出して第２トレイを支持しているので、仮に、第２トレイが幅方向において撓んだとしても、第１突出部及び第２突出部の双方の第２トレイの支持が外れることがない。
【０００９】
(2)  上記第１レール部は、上記第２レール部より上記第１トレイの幅方向の端に近い位置に配置されており、上記第１突出部が上記第１リブから上記第１向きへ突出する長さは、上記第２突出部が上記第２リブから上記第２向きへ突出する長さより長くてもよい。
【００１０】
第２トレイにおける幅方向の端側に位置する第１突出部が長く突出しているので、第２トレイが一層外れにくくなる。
【００１１】
(3)  上記第２トレイは、上記第１位置において上記第１トレイに覆われており、上記第２位置において上記第１トレイから上記排出向きへ突出した状態となるものであり、上記第１レール部、上記第２レール部、及び上記第３レール部のうちの少なくとも一つは、上記第２位置において、上記排出向き上流側となる上記第２トレイの基端より、上記排出向き下流側となる上記第２トレイの先端が上方になる姿勢に、上記第２トレイを位置決めする位置決め部を有するものであってもよい。
【００１２】
第２位置において、第２トレイの排出向きの先端側が基端側より上方になるので、第２トレイからはみ出したシートが垂れ下がり難くなる。
【００１３】
(4)  上記第２レール部に上記位置決め部が設けられており、上記位置決め部は、上記第１トレイの上記第２突出部の先端側において下方へ突出する第１凸部と、上記第２トレイにおける上記第１凸部と上下方向に対向する面に設けられており、上記第２位置において上記第１凸部と係合して上記第２トレイの上記排出向きへの移動を不能とする第２凸部と、上記第２トレイにおける上記第１トレイの下面と対向する面であって上記第２凸部より先端側に設けられて上方へ突出する第３凸部と、上記第１トレイの下面に設けられており、上記第２位置において上記第３凸部と当接して当該第２凸部を下方へ案内する当接部と、を有するものであってもよい。
【００１４】
これにより、簡易な構造で確実に、第２位置における第２トレイの排出向きの先端側を基端側より上方になる姿勢にできる。
【００１５】
(5)  上記第１トレイの上記幅方向の最大幅と、上記第２トレイの上記幅方向の最大幅と、が同じであってもよい。
【００１６】
これにより、第２トレイにおいて排出されたシートの幅方向の両端が垂れ下がることを防止できる。
【００１７】
(6)  上記排出トレイの下方に配置されて、上記搬送部が搬送するシートを支持する給送トレイを更に具備しており、上記第１トレイ及び上記第２位置の上記第２トレイは、上記給送トレイの上側を上記幅方向において覆うものであってもよい。
【００１８】
これにより、給送トレイに塵埃が進入することが抑制される。
【００１９】
(7)  上記第１トレイは、第１レール部、第２レール部、及び第３レール部とは、上記幅方向において異なる位置にそれぞれ配置されており、かつ上記搬送方向に沿ってそれぞれ延出された第４レール部を更に有するものであり、上記第３レール部は、上記排出向きに沿って延びる第３リブと、上記第１向きへ当該第３リブから突出して上記第２トレイを支持する第３突出部を有しており、上記第４レール部は、上記排出向きに沿って延びる第４リブと、上記第２向きへ当該第４リブから突出して上記第２トレイを支持する第４突出部を有しており、上記幅方向における上記第１レール部の位置と上記第３レール部の位置との中央は、上記幅方向における上記第２レール部の位置と上記第４レール部の位置との中央とほぼ合致するものであってもよい。
【００２０】
これにより、第２トレイが一層外れにくくなる。
【発明の効果】
【００２１】
本発明によれば、排出トレイを構成する第２トレイが撓んだとしても、第１レール部及び第２レールの双方の支持が外れることがない。
【図面の簡単な説明】
【００２２】
【図１】図１は、複合機１０の斜視図である。
【図２】図２は、排出トレイ２１が引き出された状態の複合機１０の斜視図である。
【図３】図３は、給送トレイ２０及び排出トレイ２１が引き出された状態の複合機１０の斜視図である。
【図４】図４は、プリンタ部１２の内部構造を示す模式図である。
【図５】図５は、第２トレイ８２、第３トレイ８３、及び第４トレイ８４が第１トレイ８１に重畳された状態の排出トレイ２１の斜視図である。
【図６】図６は、第２トレイ８２、第３トレイ８３、及び第４トレイ８４が第１トレイ８１から引き出された状態の排出トレイ２１の斜視図である。
【図７】図７は、第２トレイ８２、第３トレイ８３、及び第４トレイ８４が第１トレイ８１から引き出された状態の排出トレイ２１の平面図である。
【図８】図８は、第１トレイ８１の斜視図である。
【図９】図９は、第２トレイ８２の斜視図である。
【図１０】図１０は、第３トレイ８３の斜視図である。
【図１１】図１１は、第４トレイ８４の斜視図である。
【図１２】図１２は、図７のＸＩＩ−ＸＩＩ断面を示す断面図である。
【図１３】図１３は、図７のＸＩＩＩ−ＸＩＩＩ断面を示す断面図である。
【図１４】図１４は、図７のＸＩＶ−ＸＩＶ断面を示す断面図である。
【図１５】図１５は、図７のＸＶ−ＸＶ断面を示す拡大断面図である。
【図１６】図１６は、図７のＸＶＩ−ＸＶＩ断面を示す拡大断面図である。
【図１７】図１７は、図７のＸＶＩＩ−ＸＶＩＩ断面を示す拡大断面図である。
【発明を実施するための形態】
【００２３】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、複合機１０が使用可能に設置された状態（図１の状態）を基準として上下方向７が定義され、開口１３が設けられている側を手前側（正面）として前後方向８が定義され、複合機１０を手前側（正面）から見て左右方向９が定義される。
【００２４】
［複合機１０の全体構成］
図１に示されるように、複合機１０（本発明の装置の一例）は、概ね直方体に形成されている。複合機１０は、その上部に、記録用紙などの原稿に記録された画像をイメージセンサによって読み取って画像データを取得するスキャナ部１１を備えている。複合機１０は、その下部に、上記画像データなどに基づいて、記録用紙１５（本発明のシートの一例、図４参照）に画像を記録するプリンタ部１２を備えている。
【００２５】
スキャナ部１１は、所謂フラットベッドスキャナとして構成されているが、ここでは、スキャナ部１１の内部構成の詳細な説明は省略される。プリンタ部１２は、概ね直方体に形成されており、正面に開口１３が形成されたプリンタ筐体１４を有している。
【００２６】
図１，２，３に示されるように、プリンタ部１２におけるプリンタ筐体１４の内部には、開口１３から前後方向８に挿抜可能であって、内部に記録用紙１５が収容される給送トレイ２０と、給送トレイ２０の上側に設けられた排出トレイ２１と、を有する。排出トレイ２１は、給送トレイ２０の上側に給送トレイ２０と重ねられて設けられており、給送トレイ２０と一体としてプリンタ筐体１４から取り外し可能である。給送トレイ２０が開口１３に挿入されている状態において、排出トレイ２１は、開口１３の底面を構成している。
【００２７】
図４に示されるように、プリンタ筐体１４の内部には、給送トレイ２０に収容された記録用紙１５を搬送路２３に沿って搬送させる搬送ローラ対６３及び排出ローラ対６６と、搬送路２３を搬送される記録用紙１５に画像を記録する記録部２４などが配設されている。画像が記録された記録用紙１５は、排出トレイ２１上に排出され、複数枚の記録用紙１５が排出トレイ２１に積層状態に支持される。搬送路２３、搬送ローラ対６３、排出ローラ対６６、及び排出トレイ２１によって、搬送装置が構成されている。
【００２８】
［搬送路２３］
図４に示されるように、搬送路２３は、給送トレイ２０の後端部を基点として、下方から上方に延びつつＵターンしてから、前向きに延びて排出トレイ２１に至る通路である。搬送路２３は、所定間隔を隔てて互いに対向する第１ガイド部材３１及び第２ガイド部材３２によって構成される空間である。記録用紙１５は、給送トレイ２０から搬送路２３に給送され、搬送路２３を、図４に破線の矢印で示される向きである給送向き１６及び排出向き１７に搬送される。排出向き１７に沿った方向が搬送方向に相当し、搬送方向は前後方向８と同じ方向である。
【００２９】
［搬送ローラ対６３及び排出ローラ対６６］
図４に示されるように、搬送路２３における記録部２４よりも給送向き１６の上流側には、搬送ローラ６１及びピンチローラ６２よりなる搬送ローラ対６３が設けられている。ピンチローラ６２は、ばねなどの弾性部材（不図示）によって搬送ローラ６１のローラ面に圧接されている。搬送路２３における記録部２４よりも給送向き１６の下流側には、排出ローラ６４及び拍車６５よりなる排出ローラ対６６が設けられている。拍車６５は、ばねなどの弾性部材（不図示）によって排出ローラ６４のローラ面に圧接されている。搬送ローラ６１及び排出ローラ６４は、搬送用モータ（不図示）から駆動力が伝達されることによって回転され、ピンチローラ６２及び拍車６５との間に記録用紙１５を挟持しつつ排出向き１７へ搬送する。搬送ローラ対６３及び排出ローラ対６６が、搬送部に相当する。
【００３０】
［記録部２４］
図４に示されるように、記録部２４は、搬送路２３の上側に配置されている。記録部２４は、搬送路２３に対向可能な位置に設けられた記録ヘッド３７と、記録ヘッド３７を搭載したキャリッジ３８とを備えている。記録ヘッド３７には、インクカートリッジ（不図示）から供給されたインクを搬送路２３に向けて吐出するための複数のノズル３６が形成されている。キャリッジ３８は、左右方向９に往復移動可能に構成されている。キャリッジ３８が左右方向９へ往復移動されながら、搬送路２３に沿って搬送される記録用紙１５に向かってノズル３６からインク滴が吐出される。これにより、記録用紙１５に画像が記録される。
【００３１】
なお、本実施形態において、記録部２４が記録用紙１５に画像を記録する方式は、インクジェット記録方式であるが、記録部２４が記録用紙１５に画像を記録する方式はインクジェット記録方式に限らず、例えば電子写真方式などであってもよい。
【００３２】
［給送トレイ２０］
図５，６に示されるように、給送トレイ２０は、底板７４と、底板７４の左右端から上向きに立設された一対の側板７５と、底板７４の後端から上向きに立設された前板７６とを備えている。底板７４には、記録用紙１５が載置される。底板７４に載置された記録用紙１５は、給紙ローラ２５（図４参照）によって搬送路２３へ給送される。
【００３３】
詳細な構成の説明は省略されるが、給送トレイ２０は、前後方向８の前側部分と後側部分とに分かれて相互にスライド可能に連結されている。前側部分と後側部分とが近づく向きへスライドされると、図５に示されるように、給送トレイ２０の前後方向８の寸法が最小な状態となる。この最小な状態の給送トレイ２０は、例えば、Ａ４サイズの記録用紙１５を、その短辺を前後方向８に沿わせた状態で支持するに好適である。前側部分と後側部分とが離れる向きへスライドされると、図６に示されるように、給送トレイ２０の前後方向８の寸法が最大な状態となる。この最大な状態の給送トレイ２０は、例えば、Ａ３サイズの記録用紙１５を、その長辺を前後方向８に沿わせた状態で支持するに好適である。
【００３４】
［排出トレイ２１］
図６，７に示されるように、排出トレイ２１は、第１トレイ８１、第２トレイ８２、第３トレイ８３、第４トレイ８４、及び第５トレイ８５を備えている。第１トレイ８１は、給送トレイ２０の一対の側板７５に回動可能に支持されている。第２トレイ８２は、第１トレイ８１の下方に支持されており、排出向き１７に沿って、つまり前後方向８に沿って第１トレイ８１から引き出し及び押し入れが可能である。第３トレイ８３は、第２トレイ８２の下方に支持されており、排出向き１７に沿って、つまり前後方向８に沿って第２トレイ８２から引き出し及び押し入れが可能である。第４トレイ８４は、第３トレイ８３の下方に支持されており、排出向き１７に沿って、つまり前後方向８に沿って第３トレイ８３から引き出し及び押し入れが可能である。第５トレイ８５は、第４トレイ８４の上方に回動可能に支持されており、第４トレイ８４の上方に重畳される回動姿勢と、第４トレイ８４から排出向き１７へ突出する回動姿勢とに回動可能である。
【００３５】
第２トレイ８２から第５トレイ８５までが第１トレイ８１の下方に押し入れられた状態が、図５に示されている。第２トレイ８２から第４トレイ８４までが排出向き１７に引き出され、第５トレイ８５が排出向き１７へ突出された状態が、図６，７に示されている。つまり、本実施形態において、各トレイの引き出し向きは、後方から前方への向き（前向き）であり、押し入れ向きは、前方から後方への向き（後向き）である。各トレイの押し入れや引き出し、並びに回動は、排出トレイ２１に排出される記録用紙１５の大きさに応じてユーザが行う。
【００３６】
［第１トレイ８１］
図５，６，７，８に示されるように、第１トレイ８１は、前後方向８の外形寸法より左右方向９の外形寸法が長い矩形の平板形状である。第１トレイ８１の左右方向９の外形寸法は、給送トレイ２０の一対の側板７５間の距離とほぼ同じである。第１トレイ８１の上面８６は、前後方向８及び左右方向９に沿った平面である。第１トレイ８１における前後方向８の後ろ側であって左右方向９の両側には、支軸８７，８８が左右方向９に沿って外側へ突出されている。支軸８７，８８が、給送トレイ２０の一対の側板７５の上端側にそれぞれ支持されることにより、第１トレイ８１が給送トレイ２０の上側に回動可能に連結されている。第１トレイ８１における前後方向８の前端であって左右方向９の中央には、矩形の切欠き部８９が設けられている。前後方向８が排出向き１７に沿った搬送方向に相当し、左右方向９が幅方向に相当する。
【００３７】
第１トレイ８１の下面９０には、各々が前後方向８に沿って延出された第１レール部９１、第２レール部９２、第３レール部９３、及び第４レール部９４が設けられている。第１レール部９１、第２レール部９２、第３レール部９３、及び第４レール部９４は、第１トレイ８１の下面９０における左右方向９の配置が異なる。詳細には、第１レール部９１及び第３レール部９３は、第２レール部９２及び第４レール部９４より、第１トレイ８１の左右方向９の両端に近い位置にそれぞれ配置されている。左右方向９における第１レール部９１の位置と第３レール部９３の位置との中央は、第２レール部９２の位置と第４レール部９４の位置との中央と合致し、その合致する位置が第１トレイ８１の左右方向９の中央（図８における１点鎖線）である。
【００３８】
第１レール部９１は、前後方向８に沿って延びる第１リブ９５と、左右方向９の左向き５へ第１リブ９５から突出する第１突出部９６と、を有する。第１リブ９５は、第１トレイ８１の下面９０から上下方向７に沿って下方へ突出したリブであり、前後方向８に沿って細長に延出されている。第１突出部９６は、第１リブ９５における左右方向９の左側の面から左向き５へ突出したリブ形状であり、前後方向８に沿って細長に延出されている。
【００３９】
図１２に示されるように、第１突出部９６の上面と、第１トレイ８１の下面９０とは、上下方向７に離間されており、下面９０と第１突出部９６の上面との間に、第２トレイ８２の突片１３１が進入する。左向き５が第１向きに相当する。
【００４０】
第２レール部９２は、前後方向８に沿って延びる第２リブ９７と、左右方向９の右向き６へ第２リブ９７から突出する第２突出部９８と、を有する。第２リブ９７は、第１トレイ８１の下面９０から上下方向７に沿って下方へ突出したリブであり、前後方向８に沿って細長に延出されている。第２突出部９８は、第２リブ９７における左右方向９の右側の面から右向き６へ突出したリブ形状であり、前後方向８に沿って細長に延出されている。第２突出部９８が第２リブ９７から右向き６へ突出する長さは、第１突出部９６が第１リブ９５から左向き５へ突出する長さより短い。
【００４１】
図１２に示されるように、第２突出部９８の上面と、第１トレイ８１の下面９０とは、上下方向７に離間されており、下面９０と第２突出部９８の上面との間に、第２トレイ８２の平板１０５が進入する。右向き６が第２向きに相当する。
【００４２】
第３レール部９３は、前後方向８に沿って延びる第３リブ９９と、左右方向９の左向き５へ第３リブ９９から突出する第３突出部１００と、を有する。第３リブ９９は、第１トレイ８１の下面９０から上下方向７に沿って下方へ突出したリブであり、前後方向８に沿って細長に延出されている。第３突出部１００は、第３リブ９９における左右方向９の右側の面から右向き６へ突出したリブ形状であり、前後方向８に沿って細長に延出されている。
【００４３】
図１２に示されるように、第３突出部１００の上面と、第１トレイ８１の下面９０とは、上下方向７に離間されており、下面９０と第３突出部１００の上面との間に、第２トレイ８２の突片１３２が進入する。
【００４４】
第４レール部９４は、前後方向８に沿って延びる第４リブ１０１と、左右方向９の左向き５へ第４リブ１０１から突出する第４突出部１０２と、を有する。第４リブ１０１は、第１トレイ８１の下面９０から上下方向７に沿って下方へ突出したリブであり、前後方向８に沿って細長に延出されている。第４突出部１０２は、第４リブ１０１における左右方向９の左側の面から左向き５へ突出したリブ形状であり、前後方向８に沿って細長に延出されている。第４突出部１０２が第４リブ１０１から左向き５へ突出する長さは、第３突出部１００が第３リブ９９から右向き６へ突出する長さより短い。
【００４５】
図１２に示されるように、第４突出部１０２の上面と、第１トレイ８１の下面９０とは、上下方向７に離間されており、下面９０と第４突出部１０２の上面との間に、第２トレイ８２の平板１０５が進入する。
【００４６】
［第２トレイ８２］
図５，６，７，９に示されるように、第２トレイ８２は、前後方向８の外形寸法より左右方向９の外形寸法が長い矩形の平板形状である。第２トレイ８２の左右方向９の外形寸法は、第１トレイ８１の左右方向９の外形寸法とほぼ同じである。第２トレイ８２の平板１０５の上面１０６は、前後方向８及び左右方向９に沿った概ね平面である。平板１０５の上面１０６における左右方向９の両側部分には、上下方向７及び前後方向８に沿った段差面１０７，１０８が下方へ延出されており、段差面１０８，１０７から更に左右方向９の外向きへ、平板１０５の上面１０９，１１０が上面１０６とは段差をなして拡がっている。
【００４７】
平板１０５における前後方向８の前端であって左右方向９の中央には、矩形の切欠き部１１１が設けられている。切欠き部１１１は、第２トレイ８２が第１トレイ８１の下方へ押し込まれた状態において、第１トレイ８１の切欠き部８９と重なる。
【００４８】
図９に示されるように、平板１０５には、前後方向８の後端から前後方向８に沿ってスリット１１２，１１３が形成されている。スリット１１２，１１３は、平板１０５の左右方向９の中央に対して対称な位置に配置されており、後述される第６レール部１４２及び第８レール部１４４より若干中央側に位置する。スリット１１２には、第１トレイ８１の第２レール部９２の第２リブ９７が挿通される。スリット１１３には、第１トレイ８１の第４レール部９４の第４リブ１０１が挿通される。
【００４９】
スリット１１２，１１３の前後方向８の後端側には、スリット幅が拡大された幅広部１１４，１１５がそれぞれ形成されている。幅広部１１４，１１５は、それぞれが対応する第２レール部９２の第２突出部９８の左右方向９に沿った突出長さ、第４レール部９４の第４突出部１０２の左右方向９に沿った突出長さより幅が広い。したがって、第２突出部９８は、幅広部１１４を通じて、平板１０５の上面１０６側から下面１１６側へ進入する。第４突出部１０２は、幅広部１１５を通じて、平板１０５の上面１０６側から下面１１６側へ進入する。これにより、図１２に示されるように、第１トレイ８１の第２突出部９８の上面と下面９０との間に、第２トレイ８２の平板１０５が進入する。また、第１トレイ８１の第４突出部１０２の上面と下面９０との間に、第２トレイ８２の平板１０５が進入する。
【００５０】
幅広部１１４，１１５の底面１１７，１１８には、上下方向７の上向きへ突出する凸部１１９，１２０がそれぞれ設けられている。凸部１１９，１２０は、前後方向８に沿った断面が三角形であり、上向きへ先細りな形状である。凸部１１９，１２０は、左右方向９において第１トレイ８１の凸部１２１，１２２と対応する位置に配置されている。凸部１１９，１２０が、第２凸部に相当する。
【００５１】
幅広部１１４，１１５それぞれにおける第２トレイ８２の左右方向９の中央側の縁であって、凸部１１９，１２０より前後方向８の後ろ側には、上面１０６から上下方向７の上向きへ突出する凸部１２１，１２２がそれぞれ設けられている。凸部１２１，１２２は、前後方向８に沿った断面が三角形であり、上向きへ先細りな形状である。凸部１２１，１２２は、左右方向９において第１トレイ８１のガイド溝１２５，１２６と対応する位置に配置されている。凸部１２１，１２２が、第３凸部に相当する。
【００５２】
図８に示されるように、第１トレイ８１の第２突出部９８及び第４突出部１０２には、上下方向７の下向きへ突出する凸部１２３，１２４がそれぞれ設けられている。凸部１２３，１２４は、第１トレイ８１の前後方向８において、切欠き部８９より若干後ろ側に配置されている。凸部１２３，１２４は、前後方向８に沿った断面が逆Ｗ形状であり、二つの頂点が前後方向８に並んでおり、その２つの頂点の間が下向きへ凹んでいる。凸部１２３，１２４によって、第２突出部９８及び第４突出部１０２と第１トレイ８１の下面９０との隙間が狭くなっており、各凸部１２３，１２４における２つの頂点の間の凹みに、凸部１１９，１２０がそれぞれ進入した状態が、凸部１２３，１２４と凸部１１９，１２０とが係合した状態である。凸部１１９，１２０が凸部１２３，１２４と係合することによって、第２トレイ８２が第１トレイ８１から最大に引き出される位置が位置決めされる。凸部１２３，１２４が、第１凸部に相当する。
【００５３】
図８に示されるように、第１トレイ８１の下面９０であって、第２リブ９７及び第４リブ１０１の左右方向９の中央側の縁に沿って、ガイド溝１２５，１２６がそれぞれ設けられている。ガイド溝１２５，１２６は、下面９０から上下方向７の上向きへ凹んでいる。ガイド溝１２５，１２６は、下面９０の前後方向８の後端から凸部１２３，１２４より後ろ側の位置まで延びている。ガイド溝１２５，１２６には、第２トレイ８２の凸部１２１，１２２が進入する。
【００５４】
図８，１５に示されるように、ガイド溝１２５，１２６の前後方向８の前端には、溝の深さがテーパ状に浅くなる傾斜面１２７，１２８が形成されている。傾斜面１２７，１２８には、第２トレイ８２の凸部１２１，１２２が当接し得る。傾斜面１２７，１２８が、当接部に相当する。凸部１１９〜１２４、ガイド溝１２５，１２６、及び傾斜面１２７，１２８によって、位置決め部が構成されている。
【００５５】
図９に示されるように、第２トレイ８２の平板１０５の左右方向９の両端には、平板１０５から上下方向７の下向きへ突出する突片１２９，１３０が設けられている。突片１２９，１３０は、平板１０５の両端の前後方向８の一部からのみ下方へ突出している。給送トレイ２０の前後方向８の寸法が最小であって、排出トレイ２１が最大限引き延ばされている状態において、突片１２９，１３０が給送トレイ２０の側板７５の上端と当接して、第２トレイ８２が給送トレイ２０の上方において下方へ撓むことを防止する。
【００５６】
平板１０５の段差面１０７，１０８の上下方向７の上端から左右方向９の外向きへ突片１３１，１３２が突出している。突片１３１，１３２は、段差面１０７，１０８の前後方向８の後ろ側の一部のみから突出している。図１２に示されるように、突片１３１は、第１トレイ８１の第１突出部９６の上面と下面９０との間に進入する。突片１３２は、第１トレイ８１の第３突出部１００の上面と下面９０との間に進入する。
【００５７】
図１２に示されるように、第１トレイ８１の第１突出部９６が第２トレイ８２の突片１３１を前後方向８にスライド可能に支持し、第１トレイ８１の第２突出部９８が第２トレイ８２の平板１０５を前後方向８にスライド可能に支持し、第１トレイ８１の第３突出部１００が第２トレイ８２の突片１３２を前後方向８にスライド可能に支持し、第１トレイ８１の第４突出部１０２が第２トレイ８２の平板１０５を前後方向８にスライド可能に支持するので、第１トレイ８１の下方において第２トレイ８２が前後方向８にスライド可能に支持されている。
【００５８】
第２トレイ８２の平板１０５において、スリット１１２から突片１３１までの部分が、第１トレイ８１の第１リブ９５と第２リブ９７との間に配置され、スリット１１３から突片１３２までの部分が第１トレイ８１の第３リブ９９と第４リブ１０１との間に配置される。
【００５９】
これにより、第２トレイ８２は、平板１０５の排出向き１７の先端（前後方向８の前端）の位置が第１トレイ８１に覆われる第１位置（図５参照）と、平板１０５の先端が第１トレイ８１から排出向き１７下流側へ最大に突出した第２位置（図６参照）と、の間を前後方向８に沿ってスライド可能となる。
【００６０】
第２位置において、第２トレイ８２の凸部１１９，１２０が、第１トレイ８１の凸部１２３，１２４における２つの頂点の間の凹みに進入して係合した状態となる。これにより、第２トレイ８２が第２位置よりさらに排出向き１７へ引き出せなくなる。
【００６１】
図１５に示されるように、第２位置において、第１トレイ８１のガイド溝１２５，１２６の傾斜面１２７，１２８に、第２トレイ８２の凸部１２１，１２２が当接する。これにより、第２トレイ８２の平板１０５は、凸部１１９，１２０を支点として、凸部１２１，１２２が上下方向７の下方へ押し下げられるように回動する。その結果、排出向き１７上流側となる第２トレイ８２の平板１０５の基端より、排出向き１７下流側となる平板１０５の先端が上下方向７の上方になる姿勢に、第２トレイ８２が維持される。
【００６２】
このような第１トレイ８１による第２トレイ８２の支持と同様にして、第３トレイ８３が第２トレイ８２に支持されており、また、第４トレイ８４が第３トレイ８３に支持されている。以下、これらの支持構造について詳述する。
【００６３】
第２トレイ８２の平板１０５の下面１４０には、各々が前後方向８に沿って延出された第５レール部１４１、第６レール部１４２、第７レール部１４３、及び第８レール部１４４が設けられている。第５レール部１４１、第６レール部１４２、第７レール部１４３、及び第８レール部１４４は、平板１０５の下面１４０における左右方向９の配置が異なる。詳細には、第５レール部１４１及び第７レール部１４３は、第６レール部１４２及び第８レール部１４４より、平板１０５の左右方向９の両端に近い位置にそれぞれ配置されている。左右方向９における第５レール部１４１の位置と第７レール部１４３の位置との中央は、第６レール部１４２の位置と第８レール部１４４の位置との中央と合致し、その合致する位置が平板１０５の左右方向９の中央（図９における１点鎖線）である。
【００６４】
第５レール部１４１は、平板１０５の下面１４０側において前後方向８に沿って延びる段差面１４５と、左右方向９の左向き５へ段差面１４５から突出する第５突出部１４６と、を有する。段差面１４５は、平板１０５の下面１４０において上下方向７及び前後方向８に沿った平面であり、前後方向８へ細長な面である。段差面１４５は段差面１０７と表裏の関係にある。第５突出部１４６は、段差面１４５から左向き５へ突出したリブ形状であり、前後方向８に沿って細長に延出されている。なお、段差面１４５は、段差面１０７とは表裏をなさない独立した第５リブの面であってもよい。
【００６５】
図１３に示されるように、第５突出部１４６の上面と、平板１０５の下面１４０とは、上下方向７に離間されており、下面１４０と第５突出部１４６の上面との間に、第３トレイ８３の突片１８１が進入する。
【００６６】
第６レール部１４２は、前後方向８に沿って延びる第６リブ１４７と、左右方向９の右向き６へ第６リブ１４７から突出する第６突出部１４８と、を有する。第６リブ１４７は、平板１０５の下面１４０から上下方向７に沿って下方へ突出したリブであり、前後方向８に沿って細長に延出されている。第６突出部１４８は、第６リブ１４７における左右方向９の右側の面から右向き６へ突出したリブ形状であり、前後方向８に沿って細長に延出されている。第６突出部１４８が第６リブ１４７から右向き６へ突出する長さは、第５突出部１４６が段差面１４５から左向き５へ突出する長さより短い。
【００６７】
図１３に示されるように、第６突出部１４８の上面と、平板１０５の下面１４０とは、上下方向７に離間されており、下面１４０と第６突出部１４８の上面との間に、第３トレイ８３の平板１５５が進入する。
【００６８】
第７レール部１４３は、平板１０５の下面１４０側において前後方向８に沿って延びる段差面１４９と、左右方向９の左向き５へ段差面１４９から突出する第７突出部１５０と、を有する。段差面１４９は、平板１０５の下面１４０において上下方向７及び前後方向８に沿った平面であり、前後方向８へ細長な面である。段差面１４９は段差面１０８と表裏の関係にある。第７突出部１５０は、段差面１４９から右向き６へ突出したリブ形状であり、前後方向８に沿って細長に延出されている。なお、段差面１４９は、段差面１０８とは表裏をなさない独立した第７リブの面であってもよい。
【００６９】
図１３に示されるように、第７突出部１５０の上面と、平板１０５の下面１４０とは、上下方向７に離間されており、下面１４０と第７突出部１５０の上面との間に、第３トレイ８３の突片１８２が進入する。
【００７０】
第８レール部１４４は、前後方向８に沿って延びる第８リブ１５１と、左右方向９の左向き５へ第８リブ１５１から突出する第８突出部１５２と、を有する。第８リブ１５１は、平板１０５の下面１４０から上下方向７に沿って下方へ突出したリブであり、前後方向８に沿って細長に延出されている。第８突出部１５２は、第８リブ１５１における左右方向９の左側の面から左向き５へ突出したリブ形状であり、前後方向８に沿って細長に延出されている。第８突出部１５２が第８リブ１５１から左向き５へ突出する長さは、第７突出部１５０が段差面１４９から右向き６へ突出する長さより短い。
【００７１】
図１３に示されるように、第８突出部１５２の上面と、平板１０５の下面１４０とは、上下方向７に離間されており、下面１４０と第８突出部１５２の上面との間に、第３トレイ８３の平板１５５が進入する。
【００７２】
［第３トレイ８３］
図５，６，７，１０に示されるように、第３トレイ８３は、前後方向８の外形寸法より左右方向９の外形寸法が長い矩形の平板形状である。第３トレイ８３の左右方向９の外形寸法は、第２トレイ８２の左右方向９の外形寸法とほぼ同じである。第３トレイ８３の平板１５５の上面１５６は、前後方向８及び左右方向９に沿った概ね平面である。平板１５５の上面１５６における左右方向９の両側部分には、上下方向７及び前後方向８に沿った段差面１５７，１５８が下方へ延出されており、段差面１５７，１５８から更に左右方向９の外向きへ、平板１５５の上面１５９，１６０が上面１５６とは段差をなして拡がっている。
【００７３】
平板１５５における前後方向８の前端であって左右方向９の中央には、矩形の切欠き部１６１が設けられている。切欠き部１６１は、第３トレイ８３が第２トレイ８２の下方へ押し込まれた状態において、第２トレイ８２の切欠き部１１１と重なる。
【００７４】
図１０に示されるように、平板１５５には、前後方向８の後端から前後方向８に沿ってスリット１６２，１６３が形成されている。スリット１６２，１６３は、平板１５５の左右方向９の中央に対して対称な位置に配置されており、後述される第１０レール部１９２及び第１２レール部１９４より若干中央側に位置する。スリット１６２には、第２トレイ８２の第６レール部１４２の第６リブ１４７が挿通される。スリット１６３には、第２トレイ８２の第８レール部１４４の第８リブ１５１が挿通される。
【００７５】
スリット１６２，１６３の前後方向８の後端側には、スリット幅が拡大された幅広部１６４，１６５がそれぞれ形成されている。幅広部１６４，１６５は、それぞれが対応する第６レール部１４２の第６突出部１４８の左右方向９に沿った突出長さ、第８レール部１４４の第８突出部１５２の左右方向９に沿った突出長さより幅が広い。したがって、第６突出部１４８は、幅広部１６４を通じて、平板１５５の上面１５６側から下面１６６側へ進入する。第８突出部１５２は、幅広部１６５を通じて、平板１５５の上面１５６側から下面１６６側へ進入する。これにより、図１３に示されるように、第２トレイ８２の第６突出部１４８の上面と下面１４０との間に、第３トレイ８３の平板１５５が進入する。また、第２トレイ８２の第８突出部１５２の上面と下面１４０との間に、第３トレイ８３の平板１５５が進入する。
【００７６】
幅広部１６４，１６５の底面１６７，１６８には、上下方向７の上向きへ突出する凸部１６９，１７０がそれぞれ設けられている。凸部１６９，１７０は、前後方向８に沿った断面が三角形であり、上向きへ先細りな形状である。凸部１６９，１７０は、左右方向９において第２トレイ８２の凸部１７３，１７４と対応する位置に配置されている。
【００７７】
幅広部１６４，１６５それぞれにおける第３トレイ８３の左右方向９の中央側の縁であって、凸部１６９，１７０より前後方向８の後ろ側には、上面１５６から上下方向７の上向きへ突出する凸部１７１，１７２がそれぞれ設けられている。凸部１７１，１７２は、前後方向８に沿った断面が三角形であり、上向きへ先細りな形状である。凸部１７１，１７２は、左右方向９において第２トレイ８２のガイド溝１２５，１２６と対応する位置に配置されている。また、左右方向９において段差面１５７，１５８とほぼ同じ位置であって前後方向８の後側の縁にも、凸部１７１，１７２が設けられている。
【００７８】
図９に示されるように、第２トレイ８２の第６突出部１４８及び第８突出部１５２には、上下方向７の下向きへ突出する凸部１７３，１７４がそれぞれ設けられている。凸部１７３，１７４は、第２トレイ８２の前後方向８において、切欠き部１１１より若干後ろ側に配置されている。凸部１７３，１７４は、前後方向８に沿った断面が逆Ｗ形状であり、二つの頂点が前後方向８に並んでおり、その２つの頂点の間が下向きへ凹んでいる。凸部１７３，１７４によって、第６突出部１４８及び第８突出部１５２と第２トレイ８２の平板１０５の下面１４０との隙間が狭くなっており、各凸部１７３，１７４における２つの頂点の間の凹みに、凸部１６９，１７０がそれぞれ進入した状態が、凸部１７３，１７４と凸部１６９，１７０とが係合した状態である。凸部１６９，１７０が凸部１７３，１７４と係合することによって、第３トレイ８３が第２トレイ８２から最大に引き出される位置が位置決めされる。
【００７９】
図９に示されるように、第２トレイ８２の平板１０５の下面１４０であって、第６リブ１４７及び第８リブ１５１の左右方向９の中央側の縁に沿って、ガイド溝１７５，１７６がそれぞれ設けられている。ガイド溝１７５，１７６は、下面１４０から上下方向７の上向きへ凹んでいる。ガイド溝１７５，１７６は、下面１４０の前後方向８の後端から凸部１７３，１７４より後ろ側の位置まで延びている。また、第２トレイ８２の平板１０５の下面１４０であって、段差面１４５，１４９の左右方向９の中央側の縁に沿っても、同様のガイド溝１７５，１７６がそれぞれ設けられている。ガイド溝１７５，１７６には、第３トレイ８３の凸部１７１，１７２がそれぞれ進入する。
【００８０】
図１０，１６に示されるように、ガイド溝１７５，１７６の前後方向８の前端には、溝の深さがテーパ状に浅くなる傾斜面１７７，１７８が形成されている。傾斜面１７７，１７８には、第３トレイ８３の凸部１７１，１７２が当接し得る。
【００８１】
第３トレイ８３の平板１５５の左右方向９の両端には、平板１５５から上下方向７の下向きへ突出する突片１７９，１８０が設けられている。突片１７９，１８０は、平板１５５の両端の前後方向８の一部からのみ下方へ突出している。図３及び図６に示されるように、給送トレイ２０の前後方向８の寸法が最大の状態において、排出トレイ２１が最大限引き延ばされていると、突片１７９，１８０は、給送トレイ２０の側板７５の上端と当接する。これにより、第３トレイ８３が給送トレイ２０の上方において下方へ撓むことが防止される。
【００８２】
平板１５５の段差面１５７，１５８の上下方向７の上端から左右方向９の外向きへ突片１８１，１８２が突出している。突片１８１，１８２は、段差面１５７，１５８の前後方向８の後ろ側の一部のみから突出している。図１３に示されるように、突片１８１は、第２トレイ８２の第５突出部１４６の上面と平板１０５の下面１４０との間に進入する。突片１８２は、第２トレイ８２の第７突出部１５０の上面と平板１０５の下面１４０との間に進入する。
【００８３】
図１３に示されるように、第２トレイ８２の第５突出部１４６が第３トレイ８３の突片１８１を前後方向８にスライド可能に支持し、第２トレイ８２の第６突出部１４８が第３トレイ８３の平板１５５を前後方向８にスライド可能に支持し、第２トレイ８２の第７突出部１５０が第３トレイ８３の突片１８２を前後方向８にスライド可能に支持し、第２トレイ８２の第８突出部１５２が第３トレイ８３の平板１５５を前後方向８にスライド可能に支持するので、第２トレイ８２の下方において第３トレイ８３が前後方向８にスライド可能に支持されている。
【００８４】
第３トレイ８３の平板１５５において、スリット１６２から突片１８１までの部分が、第２トレイ８２の段差面１４５と第６リブ１４７との間に配置され、スリット１６３から突片１８２までの部分が第２トレイ８２の段差面１４９と第８リブ１５１との間に配置される。
【００８５】
これにより、第３トレイ８３は、平板１５５の排出向き１７の先端（前後方向８の前端）の位置が第２トレイ８２に覆われる第１位置（図５参照）と、平板１５５の先端が第２トレイ８２から排出向き１７下流側へ最大に突出した第２位置（図６参照）と、の間を前後方向８に沿ってスライド可能となる。
【００８６】
第２位置において、第３トレイ８３の凸部１６９，１７０が、第２トレイ８２の凸部１７３，１７４における２つの頂点の間の凹みに進入して係合した状態となる。これにより、第３トレイ８３が第２位置よりさらに排出向き１７へ引き出せなくなる。
【００８７】
図１６に示されるように、第２位置において、第２トレイ８２のガイド溝１７５，１７６の傾斜面１７７，１７８に、第３トレイ８３の凸部１７１，１７２が当接する。これにより、第３トレイ８３の平板１５５は、凸部１６９，１７０を支点として、凸部１７１，１７２が上下方向７の下方へ押し下げられるように回動する。その結果、排出向き１７上流側となる第３トレイ８３の平板１５５の基端より、排出向き１７下流側となる平板１５５の先端が上下方向７の上方になる姿勢に、第３トレイ８３が維持される。
【００８８】
第３トレイ８３の平板１５５の下面１６６には、各々が前後方向８に沿って延出された第９レール部１９１、第１０レール部１９２、第１１レール部１９３、及び第１２レール部１９４が設けられている。第９レール部１９１、第１０レール部１９２、第１１レール部１９３、及び第１２レール部１９４は、平板１５５の下面１６６における左右方向９の配置が異なる。詳細には、第９レール部１９１及び第１１レール部１９３は、第１０レール部１９２及び第１２レール部１９４より、平板１５５の左右方向９の両端に近い位置にそれぞれ配置されている。左右方向９における第９レール部１９１の位置と第１１レール部１９３の位置との中央は、第１０レール部１９２の位置と第１２レール部１９４の位置との中央と合致し、その合致する位置が平板１５５の左右方向９の中央（図１０における１点鎖線）である。
【００８９】
第９レール部１９１は、平板１５５の下面１６６側において前後方向８に沿って延びる段差面１９５と、左右方向９の左向き５へ段差面１９５から突出する第９突出部１９６と、を有する。段差面１９５は、平板１５５の下面１６６において上下方向７及び前後方向８に沿った平面であり、前後方向８へ細長な面である。段差面１９５は段差面１５７と表裏の関係にある。第９突出部１９６は、段差面１９５から左向き５へ突出したリブ形状であり、前後方向８に沿って細長に延出されている。なお、段差面１９５は、段差面１５７とは表裏をなさない独立した第９リブの面であってもよい。
【００９０】
図１４に示されるように、第９突出部１９６の上面と、平板１５５の下面１６６とは、上下方向７に離間されており、下面１６６と第９突出部１９６の上面との間に、第４トレイ８４の突片２１４が進入する。
【００９１】
第１０レール部１９２は、前後方向８に沿って延びる第１０リブ１９７と、左右方向９の右向き６へ第１０リブ１９７から突出する第１０突出部１９８と、を有する。第１０リブ１９７は、平板１５５の下面１６６から上下方向７に沿って下方へ突出したリブであり、前後方向８に沿って細長に延出されている。第１０突出部１９８は、第１０リブ１９７における左右方向９の右側の面から右向き６へ突出したリブ形状であり、前後方向８に沿って細長に延出されている。第１０突出部１９８が第１０リブ１９７から右向き６へ突出する長さは、第９突出部１９６が段差面１９５から左向き５へ突出する長さより短い。
【００９２】
図１４に示されるように、第１０突出部１９８の上面と、平板１５５の下面１６６とは、上下方向７に離間されており、下面１６６と第１０突出部１９８の上面との間に、第４トレイ８４の平板２０５が進入する。
【００９３】
第１１レール部１９３は、平板１５５の下面１６６側において前後方向８に沿って延びる段差面１９９と、左右方向９の左向き５へ段差面１９９から突出する第１１突出部２００と、を有する。段差面１９９は、平板１５５の下面１６６において上下方向７及び前後方向８に沿った平面であり、前後方向８へ細長な面である。段差面１９９は段差面１５８と表裏の関係にある。第１１突出部２００は、段差面１９９から右向き６へ突出したリブ形状であり、前後方向８に沿って細長に延出されている。なお、段差面１９９は、段差面１５８とは表裏をなさない独立した第１１リブの面であってもよい。
【００９４】
図１４に示されるように、第１１突出部２００の上面と、平板１５５の下面１６６とは、上下方向７に離間されており、下面１６６と第１１突出部２００の上面との間に、第４トレイ８４の突片２１５が進入する。
【００９５】
第１２レール部１９４は、前後方向８に沿って延びる第１２リブ２０１と、左右方向９の左向き５へ第１２リブ２０１から突出する第１２突出部２０２と、を有する。第１２リブ２０１は、平板１５５の下面１６６から上下方向７に沿って下方へ突出したリブであり、前後方向８に沿って細長に延出されている。第１２突出部２０２は、第１２リブ２０１における左右方向９の左側の面から左向き５へ突出したリブ形状であり、前後方向８に沿って細長に延出されている。第１２突出部２０２が第１２リブ２０１から左向き５へ突出する長さは、第１１突出部２００が段差面１９９から右向き６へ突出する長さより短い。
【００９６】
図１４に示されるように、第１２突出部２０２の上面と、平板１５５の下面１６６とは、上下方向７に離間されており、下面１６６と第１２突出部２０２の上面との間に、第４トレイ８４の平板２０５が進入する。
【００９７】
［第４トレイ８４］
図５，６，７，１１に示されるように、第４トレイ８４は、前後方向８の外形寸法より左右方向９の外形寸法が長い矩形の平板形状である。第４トレイ８４の左右方向９の外形寸法は、第３トレイ８３の左右方向９の外形寸法とほぼ同じである。第４トレイ８４の平板２０５の上面２０６は、前後方向８及び左右方向９に沿った概ね平面である。平板２０５の上面２０６における左右方向９の両側部分には、上下方向７及び前後方向８に沿った段差面２０７，２０８が下方へ延出されており、段差面２０７，２０８から更に左右方向９の外向きへ、平板２０５の上面２０９，２１０が上面２０６とは段差をなして拡がっている。
【００９８】
平板２０５における前後方向８の前端であって左右方向９の中央には、矩形の凹部２１１が設けられている。凹部２１１は、第５トレイ８５が収容される空間である。したがって、凹部２１１は、第５トレイ８５の外形より若干大きく、かつ第５トレイ８５の厚みより若干深い。
【００９９】
図１１に示されるように、平板２０５には、前後方向８の後端から前後方向８に沿って凹溝２１２，２１３が形成されている。凹溝２１２，２１３は、平板２０５の左右方向９の中央に対して対称な位置に配置されている。凹溝２１２には、第３トレイ８３の第１０レール部１９２の第１０リブ１９７が挿入される。凹溝２１３には、第３トレイ８３の第１２レール部１９４の第１２リブ２０１が挿入される。
【０１００】
凹溝２１２，２１３の前後方向８の後端側の上端から、左右方向９の中央に向かって突片２１４，２１５が突出している。図１４に示されるように、第３トレイ８３の第１０突出部１９８の上面と平板１５５の下面１６６との間に、突片２１４が進入する。また、第３トレイ８３の第１２突出部１９２の上面と平板１５５の下面１６６との間に、第４トレイ８４の突片２１５が進入する。
【０１０１】
凹溝２１２，２１３の底面２１７，２１８には、上下方向７の上向きへ突出する凸部２１９，２２０がそれぞれ設けられている。凸部２１９，２２０は、前後方向８に沿った断面が三角形であり、上向きへ先細りな形状である。凸部２１９，２２０は、左右方向９において第３トレイ８３の凸部２２３，２２４と対応する位置に配置されている。
【０１０２】
左右方向９において段差面２０７，２０８とほぼ同じ位置であって前後方向８の後側の縁には、上面２１６から上下方向７の上向きへ突出する凸部２２１，２２２がそれぞれ設けられている。凸部２２１，２２２は、前後方向８に沿った断面が三角形であり、上向きへ先細りな形状である。凸部２２１，２２２は、左右方向９において第３トレイ８３のガイド溝２２５，２２６と対応する位置に配置されている。
【０１０３】
図１０に示されるように、第３トレイ８３の第１０突出部１９８及び第１２突出部２０２には、上下方向７の下向きへ突出する凸部２２３，２２４がそれぞれ設けられている。凸部１７３，１７４は、第２トレイ８２の前後方向８において、切欠き部１１１より若干後ろ側に配置されている。凸部２２３，２２４は、前後方向８に沿った断面が逆Ｗ形状であり、二つの頂点が前後方向８に並んでおり、その２つの頂点の間が下向きへ凹んでいる。凸部２２３，２２４によって、第１０突出部１９８及び第１２突出部２０２と第３トレイ８３の平板１５５の下面１６６との隙間が狭くなっており、各凸部２２３，２２４における２つの頂点の間の凹みに、凸部２１９，２２０がそれぞれ進入した状態が、凸部２２３，２２４と凸部２１９，２２０とが係合した状態である。凸部２１９，２２０が凸部２２３，２２４と係合することによって、第４トレイ８４が第３トレイ８３から最大に引き出される位置が位置決めされる。
【０１０４】
図１０に示されるように、第３トレイ８３の平板１５５の下面１６６であって、段差面１９５，１９９の左右方向９の中央側の縁に沿って、ガイド溝２２５，２２６がそれぞれ設けられている。ガイド溝２２５，２２６は、下面１６６から上下方向７の上向きへ凹んでいる。ガイド溝２２５，２２６は、下面１６６の前後方向８の後端から凸部２２３，２２４より後ろ側の位置まで延びている。ガイド溝２２５，２２６には、第４トレイ８４の凸部２２１，２２２がそれぞれ進入する。
【０１０５】
図１０，１７に示されるように、ガイド溝２２５，２２６の前後方向８の前端には、溝の深さがテーパ状に浅くなる傾斜面２２７，２２８が形成されている。傾斜面２２７，２２８には、第４トレイ８４の凸部２２１，２２２が当接し得る。
【０１０６】
平板２０５の段差面２０７，２０８の上下方向７の上端から左右方向９の外向きへ突片２３１，２３２が突出している。突片２３１，２３２は、段差面２０７，２０８の前後方向８の後ろ側の一部のみから突出している。図１４に示されるように、突片２３１は、第３トレイ８３の第９突出部１９６の上面と平板１５５の下面１６６との間に進入する。突片２３２は、第３トレイ８３の第１１突出部２００の上面と平板１５５の下面１６６との間に進入する。
【０１０７】
図１４に示されるように、第３トレイ８３の第９突出部１９６が第４トレイ８４の突片２３１を前後方向８にスライド可能に支持し、第３トレイ８３の第１０突出部１９８が第４トレイ８４の突片２１４を前後方向８にスライド可能に支持し、第３トレイ８３の第１１突出部２００が第４トレイ８４の突片２３２を前後方向８にスライド可能に支持し、第３トレイ８３の第１２突出部２０２が第４トレイ８４の突片２１５を前後方向８にスライド可能に支持するので、第３トレイ８３の下方において第４トレイ８４が前後方向８にスライド可能に支持されている。
【０１０８】
第４トレイ８４の平板２０５において、凹溝２１２から突片２３１までの部分が、第３トレイ８３の段差面１９５と第１０リブ１９７との間に配置され、凹溝２１３から突片２３２までの部分が第３トレイ８３の段差面１９９と第１２リブ２０１との間に配置される。
【０１０９】
これにより、第４トレイ８４は、平板２０５の排出向き１７の先端（前後方向８の前端）の位置が第３トレイ８３に覆われる第１位置（図５参照）と、平板２０５の先端が第３トレイ８３から排出向き１７下流側へ最大に突出した第２位置（図６参照）と、の間を前後方向８に沿ってスライド可能となる。
【０１１０】
第２位置において、第４トレイ８４の凸部２１９，２２０が、第３トレイ８３の凸部２２３，２２４における２つの頂点の間の凹みに進入して係合した状態となる。これにより、第４トレイ８４が第２位置よりさらに排出向き１７へ引き出せなくなる。
【０１１１】
図１７に示されるように、第２位置において、第３トレイ８３のガイド溝２２５，２２６の傾斜面２２７，２２８に、第４トレイ８４の凸部２２１，２２２が当接する。これにより、第３トレイ８３の平板２０５は、凸部２１９，２２０を支点として、凸部２２１，２２２が上下方向７の下方へ押し下げられるように回動する。その結果、排出向き１７上流側となる第４トレイ８４の平板２０５の基端より、排出向き１７下流側となる平板２０５の先端が上下方向７の上方になる姿勢に、第４トレイ８４が維持される。
【０１１２】
［第５トレイ８５］
図６，７に示されるように、第５トレイ８５は、前後方向８の外形寸法より左右方向９の外形寸法が長い矩形の平板形状である。第５トレイ８５の左右方向９の外形寸法は、第４トレイ８４の左右方向９の外形寸法よりも短く、第４トレイ８４の凹部２１１の左右方向９の外形寸法より若干短い。第５トレイ８５における左右方向９の両側には、支軸２３５，２３６が左右方向９に沿って外側へ突出されている。支軸２３５，２３６が、第４トレイ８４の凹部２１１における前後方向８前端付近にそれぞれ支持されることにより、第５トレイ８５が第４トレイ８４の上側に回動可能に連結されている。
【０１１３】
第５トレイ８５は、第４トレイ８４上に重畳する回動位置と、第４トレイ８４から前後方向８の前側へ斜め上方へ突出する回動位置との間で、支軸２３５，２３６周りに回動可能である。図５に示されるように、第５トレイ８５が第４トレイ８４上に重畳すると、第５トレイ８５は第４トレイ８４の凹部２１１の空間内に収まる。その状態において、第５トレイ８５は、第４トレイ８４と共に第３トレイ８３の下方へ重畳する。
【０１１４】
図６，７に示されるようにように、第４トレイ８４が第３トレイ８３から引き出された状態において、第５トレイ８５は、凹部２１１から引き出されるように回動されて、第４トレイ８４から前後方向８の前側へ斜め上方へ突出する。
【０１１５】
［本実施形態の作用効果］
前述されたように、第１トレイ８１の第１レール部９１の第１突出部９６及び第４レール部９４の第４突出部１０２が左向きへ突出して第２トレイ８２を支持しており、第２レール部９２の第２突出部９８及び第３レール部９３の第３突出部１００が右向きへ突出して第２トレイ９２を支持しているので、例えば、第２トレイ９２の平板１０５が複数枚の記録用紙１５を支持することによって、平板１０５が左右方向９において中央が下方へ下がるように撓んだとしても、第１突出部９６、第２突出部９８、第３突出部１００及び第４突出部１０２の全てが第２トレイ９２から外れることがない。
【０１１６】
また、第１レール部９１は、第２レール部９２より第１トレイ８１の左右方向９の端に近い位置に配置されており、第１突出部９６が第１リブ９５から左向きへ突出する長さは、第２突出部９８が第２リブ９７から右向きへ突出する長さより長いので、第２トレイ８２が第１トレイ９１から一層外れにくくなる。
【０１１７】
同様に、第３レール部９３は、第４レール部９４より第１トレイ８１の左右方向９の端に近い位置に配置されており、第３突出部１００が第３リブ９９から右向きへ突出する長さは、第４突出部１０２が第４リブ１０１から左向きへ突出する長さより長いので、第２トレイ８２が第１トレイ９１から一層外れにくくなる。
【０１１８】
また、第２レール部９２及び第４レール部９４は、第２トレイ９２が第２位置にあるときに、排出向き１７上流側となる第２トレイ８２の基端より、排出向き１７下流側となる第２トレイ８２の先端が上方になる姿勢に位置決めするので、第２トレイ８２から排出向き１７へはみ出した記録用紙１５が下方へ垂れ下がり難くなる。
【０１１９】
また、第１トレイ８１の左右方向９の最大寸法と、第２トレイ８２の左右方向９の最大寸法とが同じなので、第２トレイ８２上において、排出された記録用紙１５の左右方向９の両端が下方へ垂れ下がることを防止できる。
【０１２０】
また、第１トレイ８１から排出向き１７へ引き出された状態の第２トレイ８２は、給送トレイ２０の上側を左右方向９に渡って覆うので、給送トレイ２０に塵埃が進入することが抑制される。
【０１２１】
［変形例］
前述された実施形態では、第１トレイ８１に４つのレール部が設けられているが、これら４つのレール部のうち少なくとも３つのレール部が設けられていれば、前述と同様の作用効果が奏される。
【０１２２】
また、第１トレイ８１が第２トレイ８２を支持する構成のみではなく、第２トレイ８２が第３トレイ８３を支持する構成、並びに第３トレイ８２が第４トレイ８４を支持する構成においても、前述と同様の作用効果が奏される。
【符号の説明】
【０１２３】
２０  給送トレイ
２１  排出トレイ
６３  搬送ローラ対（搬送部）
６６  排出ローラ対（搬送部）
８１  第１トレイ
８２  第２トレイ
９１  第１レール部
９２  第２レール部
９３  第３レール部
９４  第４レール部
９５  第１リブ
９６  第１突出部
９７  第２リブ
９８  第２突出部
９９  第３リブ
１００  第３突出部
１０１  第４リブ
１０２  第４突出部
１１９，１２０  凸部（第２凸部）
１２１，１２２  凸部（第３凸部）
１２３，１２４  凸部（第１凸部）
【図１】
2015034066.tif 000003
【図２】
2015034066.tif 000004
【図３】
2015034066.tif 000005
【図４】
2015034066.tif 000006
【図５】
2015034066.tif 000007
【図６】
2015034066.tif 000008
【図７】
2015034066.tif 000009
【図８】
2015034066.tif 000010
【図９】
2015034066.tif 000011
【図１０】
2015034066.tif 000012
【図１１】
2015034066.tif 000013
【図１２】
2015034066.tif 000014
【図１３】
2015034066.tif 000015
【図１４】
2015034066.tif 000016
【図１５】
2015034066.tif 000017
【図１６】
2015034066.tif 000018
【図１７】
2015034066.tif 000019